(57)【要約】【課題】  無線ベアラの確立処理直後に移動体通信網から送信される音声データを確実に処理する。【解決手段】  移動通信端末１０は、移動体通信網２０との間で無線ベアラの確立処理を行うＭＴＦ１１と、無線ベアラを通じてＭＴＦ１１により受信された音声データを処理するＴＡＦ１２とを備える。ＭＴＦ１１は、移動体通信網２０からの無線ベアラの確立指示の当該送受信制御部による受信に応じて、当該無線ベアラの確立応答を移動体通信網に送信すると共に当該無線ベアラが確立した旨をＴＡＦ１２に通知する通知部１１ａを有する。ＴＡＦ１２は、通知部１１ａによる通知がなされると音声データを処理できる状態に移行させる移行部１２ａを有する。【選択図】  図１
2008042561.tif 000002
【特許請求の範囲】
【請求項１】
移動体通信網との間で無線ベアラの確立処理を行う送受信制御部と、前記無線ベアラを通じて前記送受信制御部により受信された音声データを処理する音声呼処理部とを備える移動通信端末であって、
前記送受信制御部は、移動体通信網からの前記無線ベアラの確立指示の当該送受信制御部による受信に応じて、当該無線ベアラの確立応答を前記移動体通信網に送信すると共に当該無線ベアラが確立した旨を前記音声呼処理部に通知する通知手段を有し、
前記音声呼処理部は、前記通知手段による通知がなされると前記音声データを処理できる状態に移行させる移行手段を有する、
ことを特徴とする移動通信端末。
【請求項２】
移動体通信網との間で無線ベアラの確立処理を行う送受信制御部と、前記無線ベアラを通じて前記送受信制御部により受信された音声データを処理する音声呼処理部とを備える移動通信端末における端末制御方法であって、
前記送受信制御部が、移動体通信網からの前記無線ベアラの確立指示の当該送受信制御部による受信に応じて、当該無線ベアラの確立応答を前記移動体通信網に送信すると共に当該無線ベアラが確立した旨を前記音声呼処理部に通知する通知ステップと、
前記音声呼処理部が、前記通知手段による通知がなされると前記音声データを処理できる状態に移行する移行ステップと、
を含むことを特徴とする端末制御方法。
【発明の詳細な説明】
【技術分野】
【０００１】
本発明は、移動通信端末、及び当該移動通信端末における端末制御方法に関する。
【背景技術】
【０００２】
Ｗ−ＣＤＭＡ（Wideband-Code Division Multiple Access）方式を採用する移動通信システムでは、移動通信端末は、送受信制御部であるＭＴＦ（MobileTermination Function）と、音声呼処理部であるＴＡＦ（Terminal Adaptation Function）とを含んで構成されている（例えば、下記の特許文献１参照）。上記の移動通信システムでは、音声通信が行われる際、まず、移動体通信網を介して通信相手の端末との間で、ＭＴＦによりＣＳ（Circuit Switch：回線交換）呼として音声呼が確立されて、その後、確立された音声呼を用いて送受信される音声データがＴＡＦで処理される。
【特許文献１】特開２００５−３２８４１２号公報
【発明の開示】
【発明が解決しようとする課題】
【０００３】
音声呼が確立される前に、移動通信端末と移動体通信網との間で、音声データの伝送路である無線ベアラ（Radio Bearer）が確立される。無線ベアラは、音声呼の確立処理において、移動体通信網から移動通信端末に無線ベアラの確立指示（RADIO BEARER SETUP）が送信され、その確立指示に応じて移動通信端末から移動体通信網に対して無線ベアラの確立応答（RADIO BEARER SETUP COMPLETE）が送信されることにより確立される。移動体通信網側では、無線ベアラの確立応答が受信されると、（無線ベアラが確立されたと認識されて）当該無線ベアラを用いて移動通信端末に対して音声データを送信しうる状態となる。一方、移動通信端末では、無線ベアラの確立応答に対するＡＣＫ（ACKnowledgement）を移動体通信網から受信した後、ＭＴＦがＴＡＦに対して無線ベアラの確立通知を行ってチャネルの設定等を行うことにより音声データが処理できる状態になる。
【０００４】
上記のようにＡＣＫを受信してから、その後の処理を行うことは移動通信の手順上の規格上、通常定められていることである。しかしながら、上記の無線ベアラの確立時の処理では、移動通信端末は、ＡＣＫを受信しないと音声データが処理できる状態にならない。従って、例えば、通信経路上の障害等で移動通信端末がＡＣＫを受信できない場合、移動体通信網では音声データを送信しうる状態にあるにもかかわらず移動通信端末が音声データを処理できない状態となる。そのような状態のときに、移動体通信網から音声データが移動通信端末に送信されると、移動通信端末はその音声データの処理を行うことができないという問題が発生する。
【０００５】
本発明は、以上の問題点を解決するためになされたものであり、無線ベアラの確立処理直後に移動体通信網から送信される音声データを確実に処理することができる移動通信端末及び端末制御方法を提供することを目的とする。
【課題を解決するための手段】
【０００６】
本発明に係る移動通信端末は、移動体通信網との間で無線ベアラの確立処理を行う送受信制御部と、無線ベアラを通じて送受信制御部により受信された音声データを処理する音声呼処理部とを備える移動通信端末であって、送受信制御部は、移動体通信網からの無線ベアラの確立指示の当該送受信制御部による受信に応じて、当該無線ベアラの確立応答を移動体通信網に送信すると共に当該無線ベアラが確立した旨を音声呼処理部に通知する通知手段を有し、音声呼処理部は、通知手段による通知がなされると音声データを処理できる状態に移行させる移行手段を有する、ことを特徴とする。
【０００７】
本発明に係る移動通信端末では、送受信制御部によりベアラの確立応答の送信と共にその旨の通知が音声呼処理部になされ、音声呼処理部はその通知をトリガとして音声データを処理できる状態に移行される。即ち、本発明に係る移動通信端末では、移動体通信網から当該無線ベアラを用いて移動通信端末に対して音声データが送信される前に音声データを処理できる状態になる。従って、本発明に係る移動通信端末によれば、無線ベアラの確立処理直後に移動体通信網から送信される音声データを確実に処理することができる。
【０００８】
ところで、本発明は、上記のように移動通信端末の発明として記述できる他に、以下のように当該移動通信端末における端末制御方法の発明としても記述することができる。これはカテゴリが異なるだけで、実質的に同一の発明であり、同様の作用及び効果を奏する。
【０００９】
即ち、本発明に係る端末制御方法は、移動体通信網との間で無線ベアラの確立処理を行う送受信制御部と、無線ベアラを通じて送受信制御部により受信された音声データを処理する音声呼処理部とを備える移動通信端末における端末制御方法であって、送受信制御部が、移動体通信網からの無線ベアラの確立指示の当該送受信制御部による受信に応じて、当該無線ベアラの確立応答を移動体通信網に送信すると共に当該無線ベアラが確立した旨を音声呼処理部に通知する通知ステップと、音声呼処理部が、通知手段による通知がなされると音声データを処理できる状態に移行する移行ステップと、を含むことを特徴とする。
【発明の効果】
【００１０】
本発明によれば、無線ベアラの確立処理を行う際に、移動通信端末が、移動体通信網から当該無線ベアラを用いて移動通信端末に対して音声データが送信される前に音声データを処理できる状態になるので、無線ベアラの確立処理直後に移動体通信網から送信される音声データを確実に処理することができる。
【発明を実施するための最良の形態】
【００１１】
以下、図面とともに本発明に係る移動通信端末及び端末制御方法の好適な実施形態について詳細に説明する。なお、図面の説明においては同一要素には同一符号を付し、重複する説明を省略する。
【００１２】
図１に本実施形態に係る移動通信端末１０の構成を示す。移動通信端末１０は、Ｗ−ＣＤＭＡ方式（Wideband-Code Division Multiple Access）等の第３世代移動体通信システムに準拠した移動体通信が可能である。図１に示すように、移動通信端末１０は、移動体通信網２０に接続することが可能である。
【００１３】
図１に示すように、移動通信端末１０は、ＭＴＦ１１とＴＡＦ１２とを備えて構成されている。ＭＴＦ１１は、音声通信（回線交換通信）を開始する際に、移動体通信網２０との間でやり取りされる制御データ（C-Planeデータ）の送受信を制御して、移動体通信網２０との間に音声呼（ＣＳ呼）を確立させるための制御を行う。音声呼を確立するための制御には、移動体通信網２０との間で、音声データ（U-Planeデータ）の伝送路となる無線ベアラ（Radio Bearer）の確立処理が含まれる。即ち、ＭＴＦ１１は、移動体通信網２０との間で無線ベアラの確立処理を行う送受信制御部である。また、ＭＴＦ１１は、音声データ（U-Planeデータ）を含む通信データの送受信を制御する。
【００１４】
ＴＡＦ１２は、確立された無線ベアラを通じてＭＴＦ１１により受信された音声データを処理する音声処理部である。音声データの処理としては、例えば、音声データを変換して、移動通信端末１０が備えるスピーカから音声を出力させる処理や、移動通信端末１０が備えるマイクから入力された音声を音声データに変換して、移動体通信網２０に送信するためにＭＴＦ１１に出力する処理が該当する。
【００１５】
なお、ＴＡＦ１２が音声データを処理するためには、音声データを処理できる状態に移行する必要がある。ＴＡＦ１２が音声データを処理できる状態になっていなければ、ＭＴＦ１１により音声データが受信されても、この音声データを処理することができない。
【００１６】
本発明は、無線ベアラの確立処理直後に移動体通信網２０から送信される音声データを確実に処理することを目的としている。以下、ＭＴＦ１１及びＴＡＦ１２が有する各種機能のうち、本発明の特徴を実現させる特有の機能について詳細に説明する。
【００１７】
図１に示すように、ＭＴＦ１１は、通知部１１ａを有する。通知部１１ａは、無線ベアラを確立する際、移動体通信網２０から送信される無線ベアラの確立指示（RADIO BEARER SETUP）のＭＴＦ１１による受信に応じて、当該無線ベアラの確立応答（RADIO BEARER SETUP COMPLETE）を移動体通信網２０に送信すると共に当該無線ベアラが確立した旨をＴＡＦ１２に通知する通知手段である。ＴＡＦ１２への当該通知（ＲＢ確立通知）には、受信した音声データを移動通信端末１０内で流すチャネルを特定するチャネル情報（UserCH id）が含まれる。
【００１８】
ＴＡＦ１２は、移行部１２ａを有する。移行部１２ａは、通知部１１ａによる上記の通知（ＲＢ確立通知）がなされると、ＴＡＦ１２を、音声データを処理できる状態に移行させる移行手段である。この移行には、具体的には、ＭＴＦ１１からの通知に含まれるチャネル情報に基づいて移動通信端末１０が備える受話器のスピーカ（イヤホン）（図示せず）を設定する処理等が含まれる。
【００１９】
図２に移動通信端末１０のハードウェア構成を示す。図２に示すように、移動通信端末１０は、ＣＰＵ（Central Processing Unit）１０１、ＲＡＭ（Random Access Memory）１０２、ＲＯＭ（Read Only Memory）１０３、操作部１０４、無線通信部１０５、ディスプレイ１０６及びアンテナ１０７等のハードウェアにより構成されている。これらの構成要素が動作することにより、以下に説明する移動通信端末１０の各機能が発揮される。
【００２０】
移動体通信網２０は、図１に示すようにＲＮＣ（Radio Network Controller：無線ネットワーク制御装置）２１と、ＣＮ（Core Network）２２とを含んで構成されている。ＲＮＣ２１は、移動体通信網２０に含まれる基地局（図示せず）を管理し、移動通信端末１０と移動体通信網２０との間の無線接続を確立する処理を行う装置である。無線ベアラの確立は、移動通信端末１０と移動体通信網２０との間の制御情報の送受信により行われる。ＣＮ２２は、交換機等を含んで構成される移動体通信網２０の基幹通信回線であり、音声呼の確立の処理を主に行う。
【００２１】
なお、上述した無線ベアラ（ＲＢ：Radio Bearer）は、移動通信端末１０とＲＮＣ２１との間の音声データの伝送路である。ＲＮＣ２１とＣＮ２２（に含まれる交換機）との間の伝送路は、ＲＡＢ（Radio Access Bearer）である。
【００２２】
引き続いて、図３のシーケンス図を用いて、本実施形態の移動通信端末１０で実行される処理（端末制御方法）を説明する。この処理は、ユーザの操作等をトリガとして、音声通信を開始するために移動通信端末１０と通信相手の別の端末との間に移動体通信網２０を介して音声呼が確立される際の処理である。なお、処理のトリガとなるユーザの操作は、移動通信端末１０におけるＴＡＦ１２に対して行われる。
【００２３】
まず、移動通信端末１０では、ＴＡＦ１２がＭＴＦ１１に対して音声呼確立要求を行う（Ｓ０１）。ＭＴＦ１１は、この処理を受けて音声呼の確立の処理を開始する。
【００２４】
続いて、ＭＴＦ１１は、移動体通信網２０との間でＭＭ（Mobility Management）コネクションを確立する（Ｓ０２）。ＭＭコネクションの確立処理には、ユーザ認証等の処理が含まれる。ＭＭコネクションを確立する前に、移動通信端末１０と移動体通信網２０との間には、より低位の制御に用いられるＲＲＣ（Radio Resource Control）コネクションが確立される。
【００２５】
ＭＭコネクションが確立されると、以下のようにＣＣ（Call Control）コネクションが確立される。ＣＣコネクションの確立には、無線ベアラ（ＲＢ）の確立及び音声呼の確立が含まれる。まず、ＭＴＦ１１は、移動体通信網２０のＣＮ２２に、ＲＮＣ２１を介して音声呼確立要求（SETUP）を送信する（Ｓ０３）。音声呼確立要求には、音声呼の相手方の端末を特定する情報である電話番号等の音声呼を確立するために必要な情報が含まれる。
【００２６】
ＣＮ２２は、移動通信端末１０から当該要求を受信すると、当該要求に含まれる電話番号等に基づき呼接続を確立するための処理を開始する。また、ＣＮ２２は、音声データの伝送路である無線ベアラを確立するために、ＲＡＢ確立要求をＲＮＣ２１に送信する（Ｓ０４）。ＲＮＣ２１は、ＣＮ２２から当該要求を受信すると、移動通信端末１０に対して、無線ベアラ（ＲＢ）の確立指示（RADIO BEARER SETUP）を送信する（Ｓ０５）。当該確立指示が送信された移動通信端末１０では、ＭＴＦ１１が当該確立指示を受信してＡＣＫ（RLC:STATUS Report）をＲＮＣ２１に対して送信する（Ｓ０６）。
【００２７】
続いて、ＭＴＦ１１では、移動通信端末１０における無線ベアラの確立処理が行われ、通知部１１ａが、無線ベアラの確立応答（RADIO BEARER SETUP COMPLETE）をＲＮＣ２１に対して送信する（Ｓ０７）。この時点で、移動通信端末１０と移動体通信網２０との間には、無線ベアラが確立されたことになる。通知部１１ａは、無線ベアラの確立応答を送信する一方、ＴＡＦ１２に対して無線ベアラ（ＲＢ）確立通知を送信して、無線ベアラが確立されたという通知を行う（Ｓ０８）。当該通知が行われたＴＡＦ１２では、移行部１２ａが、ＴＡＦ１２を、音声データを処理できる状態に移行させる（Ｓ０９）。
【００２８】
この時点で、移動通信端末１０では、移動体通信網２０から送信される音声データを処理できるようになる。但し、この時点では、音声呼は確立されていないので、移動体通信網２０から送信される音声データは、通信相手の端末からではなく移動体通信網２０自体（即ち、移動体通信網２０に含まれる交換機等）からの音声データである。上記のように、移動通信端末１０は、無線ベアラの確立応答のＲＮＣ２１への送信（Ｓ０７）をトリガとして、音声データの処理可能状態に移行する。
【００２９】
無線ベアラの確立応答がＲＮＣ２１に対して送信されると（Ｓ０７）、移動体通信網２０では、ＲＮＣ２１が、ＣＮ２２に対してＲＡＢの確立応答を送信する（Ｓ１０）。ＣＮ２２は、このＲＡＢの確立応答を受信することにより、無線ベアラが確立されたことを認識する。この時点で、ＣＮ２２から移動通信端末１０に対して、制御データ（C-Planeデータ）により音声データ用のパス（U-Planeパス）をオンにする指示がなされた上で、確立された無線ベアラを用いて音声データを送信することが可能となる。なお、図３において、ＣＮ２２が音声データを送信することが可能となるタイミングが、ＴＡＦ１２が音声データを処理できるタイミングよりも早いように描かれているが、両者はほぼ同じタイミングである。また、ＲＮＣ２１は、移動通信端末１０に対して、無線ベアラの確立応答に対するＡＣＫ（RLC:STATUS Report）を送信する（Ｓ１１）。本実施形態では、このＡＣＫが通信経路上の障害等で移動通信端末１０に到達しないものとする。
【００３０】
続いて、ＣＮ２２が、移動通信端末１０に対して鳴動要求（ALERTING）を送信する（Ｓ１２）。鳴動要求は、移動通信端末１０が備えるスピーカにおいて、通信相手の端末へ呼び出しを行っていることを示す呼び出し音を鳴動させるためのものである。ここで、ＣＮ２２は、鳴動要求には、音声データ用のパス（U-Planeパス）をオンにする指示を含めることができ、引き続いて行われる音声データの送信を行うには、音声データ用のパス（U-Planeパス）をオンにすることが必要となる。音声データ用のパス（U-Planeパス）をオンにするために、上記のように鳴動要求（ALERTING）や音声呼の確立通知（CONNECT）等の制御データ（C-Planeデータ）に音声データ用のパスをオンにする指示が含められる。なお、通信相手の端末に異常がある（呼び出し音の鳴動が不要）場合は、鳴動要求は移動通信端末１０には送信されない。
【００３１】
続いて、ＣＮ２２は、音声データ用のパス（U-Planeパス）をオンにする指示を行った上で音声データ（U-Planeデータ）を移動通信端末１０に対して送信しうる（Ｓ１３）。このタイミングで音声データが送信可能であることは、３ＧＰＰ（3rd Generation Partnership Project）標準化にて規定されている。送信された音声データはＭＴＦ１１により受信され、ＭＴＦ１１からＴＡＦ１２に送られる。上述したように、ＴＡＦ１２は、音声データを処理できる状態になっているので、音声データは適切に処理されて、スピーカへの出力等がなされる（Ｓ１４）。
【００３２】
移動通信端末１０では、上述したように、無線ベアラの確立応答（Ｓ０７）に対するＡＣＫ（Ｓ１１）が受信できていないので、ＭＴＦ１１は無線ベアラの確立応答をＲＮＣ２１に対して再送する（Ｓ１５）。ＲＮＣ２１は、移動通信端末１０に対して、無線ベアラの確立応答（Ｓ１５）に対するＡＣＫを送信する（Ｓ１６）。ＭＴＦ１１は、当該ＡＣＫを受信する。
【００３３】
その後は、従来と同様に以下のような処理が行われる。移動体通信網２０では、ＣＮ２２が、通信相手の端末から音声呼の確立が受け入れられると、音声呼の確立通知（CONNECT）を移動通信端末１０に送信する（Ｓ１７）。ここでも、音声データ用のパスをオンにする必要がある（音声データの送信を開始する）場合は、その指示を音声呼の確立通知に含める。移動通信端末１０では、ＭＴＦ１１が、ＣＮ２２から送信された音声呼の確立通知を受信すると、通信相手の端末との通信が可能である旨の音声呼確立通知をＴＡＦ１２に対して行う（Ｓ１８）。ＭＴＦ１１はまた、ＣＮ２２に対して、音声呼の確立応答（CONNECT ACKNOWLEDGE）を送信する（Ｓ１９）。その後、確立された音声呼の無線ベアラ（音声データの伝送路）を用いて、ＴＡＦ１２とＣＮ２２（通信相手の端末）との間で音声データの送受信が行われる（Ｓ２０）。
【００３４】
上記が本実施形態における処理である。ここで、ＴＡＦ１２の音声データを処理できる状態への移行（Ｓ０９）は、無線ベアラ確立通知（Ｓ０８）の受信後に行われる。上述したように、当該通知は本実施形態における処理では、ＭＴＦ１１による無線ベアラの確立応答の送信（Ｓ０７）をトリガとして行われる。従来の移動通信端末では、上記の通知は、ＭＴＦ１１による無線ベアラの確立応答に対するＡＣＫの受信をトリガとして行われる（図３におけるＳ２１）。従って、従来の移動通信端末では、ＣＮ２２から音声データが送信された時点では、ＴＡＦが音声データを処理できる状態になっておらず、その音声データが処理できないという問題が発生する。
【００３５】
その一方、上述したように本実施形態に係る移動通信端末１０では、移動体通信網２０のＣＮ２２から当該無線ベアラを用いて移動通信端末１０に対して音声データが送信される前に音声データを処理できる状態になる。従って、本実施形態に係る移動通信端末１０によれば、無線ベアラの確立処理直後に移動体通信網２０のＣＮ２２から送信される音声データを確実に処理することができる。
【００３６】
なお、本実施形態では、発信側の移動通信端末を例として説明したが、受信時の移動通信端末においても、音声呼の確立の際に同様の処理が行われてもよい。
【図面の簡単な説明】
【００３７】
【図１】本発明の実施形態における移動通信端末の構成を示す図である。
【図２】本発明の実施形態における移動通信端末のハードウェア構成を示す図である。
【図３】本発明の実施形態における移動通信端末で実行される処理（端末制御方法）を示すシーケンス図である。
【符号の説明】
【００３８】
１０…移動通信端末、１１…ＭＴＦ、１１ａ…通知部、１２…ＴＡＦ、１２ａ…移行部、２０…移動体通信網、２１…ＲＮＣ、２２…ＣＮ、１０１…ＣＰＵ、１０２…ＲＡＭ、１０３…ＲＯＭ、１０４…操作部、１０５…無線通信部、１０６…ディスプレイ、１０７…アンテナ。
【図１】
2008042561.tif 000003
【図２】
2008042561.tif 000004
【図３】
2008042561.tif 000005